(57)【要約】【課題】本発明は、浴室カウンターを踏み台代わりに乗り降りすることのできない構造にすることにより、転落やカウンターの破損などの事故を未然に防ぐとともに、本来不要な補強構造に伴うコストを削減し、安全かつ安価な浴室カウンターを提供することにある。【解決手段】浴室の洗い場に設置される浴室カウンターであって、洗い場の壁面に沿って設けられるカウンター本体と、カウンター本体に着脱可能に取り付けられる湯桶載置台とを備え、所定重量以上の荷重が湯桶載置台にかかったときに、湯桶載置台がカウンター本体から外れる固着手段を備えている。【選択図】図３
2007097748.tif 000002
【特許請求の範囲】
【請求項１】
浴室の洗い場に設置される浴室カウンターであって、
洗い場の壁面に沿って設けられるカウンター本体と、カウンター本体に着脱可能に取り付けられる湯桶載置台とを備え、
設定荷重を超える荷重が湯桶載置台にかかると、湯桶載置台がカウンター本体から外れる湯桶載置台の固着手段を備えていることを特徴とする浴室カウンター。
【請求項２】
固着手段が、カウンター本体の上面に設けられた嵌合突起または嵌合凹部のいずれか一方と、湯桶載置台の裏面に設けられた、前記カウンター本体の嵌合突起または嵌合凹部に嵌合する嵌合突起または嵌合凹部とで構成されていることを特徴とする請求項１に記載の浴室カウンター。
【発明の詳細な説明】
【技術分野】
【０００１】
本発明は、浴室の洗い場に設置される浴室カウンターに関するもので、特に、湯桶を載置するためのスペースを備えた浴室カウンターに関する。
【背景技術】
【０００２】
従来、この種の浴室カウンターとして、図４に示すように、カウンター本体Ｙの中央部に、手前側に張り出すように形成された湯桶載置部Ｚを備えた浴室カウンターＸが提案されている（例えば、特許文献１参照）。
しかしながら、使用者の中には、例えば、浴室の清掃時などに、湯桶載置部Ｚを踏み台代わりにして浴室カウンターＸに乗り降りする人がおり、足を踏み外したり、浴室カウンターＸが破損したりして、大けがにつながる恐れがある。したがって、従来の浴室カウンターＸの場合、各構成部材に、湯桶の重量に比べて過大な荷重がかかっても破損しない程度の十分な強度を具備させなければならず、製品コストが高くなるという不具合がある。
【特許文献１】特開２００１−６１７００号公報
【発明の開示】
【発明が解決しようとする課題】
【０００３】
本発明は、上記問題点に鑑みてなされたものであって、その目的とするところは、浴室カウンターの湯桶載置スペースに乗り降りすることのできない構造にすることにより、転落やカウンターの破損などの事故を未然に防ぐとともに、本来不要な補強構造に伴うコストを削減し、安全かつ安価な浴室カウンターを提供することにある。
【課題を解決するための手段】
【０００４】
請求項１記載の発明は、浴室の洗い場に設置されるもので、洗い場の壁面に沿って設けられるカウンター本体と、カウンター本体に着脱可能に取り付けられる湯桶載置台とを備え、設定荷重を超える荷重が湯桶載置台にかかると、湯桶載置台がカウンター本体から外れる湯桶載置台の固着手段を備えていることを特徴とするものである。
ここで、本発明でいう設定荷重とは、湯水を満たした状態での湯桶の荷重をいうものとする。また、本発明でいう湯桶とは、洗面器を含む。
請求項２記載の発明は、固着手段が、カウンター本体の上面に設けられた嵌合突起または嵌合凹部のいずれか一方と、湯桶載置台の裏面に設けられた、前記カウンター本体の嵌合突起または嵌合凹部に嵌合する嵌合突起または嵌合凹部とで構成されていることを特徴とするものである。
【発明の効果】
【０００５】
請求項１記載の発明は、上記のように、カウンター本体に着脱可能に取り付けられる湯桶載置台に、設定荷重を超える荷重が湯桶載置台にかかると、湯桶載置台がカウンター本体から外れる固着手段を備えているので、湯水を満たした湯桶の荷重を超える荷重が湯桶載置台にかかることを回避できる。そのため、湯桶載置台やカウンター本体の補強構造を簡素化することができ、製品コストを抑制することができる。
請求項２記載の発明は、固着手段が、カウンター本体の上面に設けられた嵌合突起または嵌合凹部のいずれか一方と、湯桶載置台の裏面に設けられた、前記カウンター本体の嵌合突起または嵌合凹部に嵌合する嵌合突起または嵌合凹部とで構成されているので、湯桶載置台をカウンター本体に容易かつ確実に着脱することができる。
【発明を実施するための最良の形態】
【０００６】
以下、本発明にかかる一実施形態について、図面に基づいて説明する。
本実施形態にかかる浴室カウンター１は、図１，図２に示すように、浴室の壁面に沿って設けられるカウンター本体２と、カウンター本体２の上面に着脱可能に取り付けられる湯桶載置台３と、カウンター本体２を支持するカウンターステー４と、カウンター本体２の下部を隠蔽するためのカウンターカバー５とから構成されている。
【０００７】
カウンター本体２は、ＡＢＳ樹脂製の発泡体からなる基材と、この基材の表面を被覆するアクリル樹脂製の被覆材との２層構造で、図１，図２に示すように、段板状の天板部２１と、天板部２１の後方に形成される背面部２２と、天板部２１の前方に形成される前面部２３とから構成されており、押出し成形により成型されている。天板部２１には、固着手段を構成する嵌合凹部としての嵌合突起６が取り付けられている。
【０００８】
天板部２１は、前方天板部２１０と、前方天板部２１０よりも一段高く形成される後方天板部２１１と、前方天板部２１０と後方天板部２１１とを連結する連結部２１２とから構成されている。天板部２１の裏面には、天板部２１をカウンターステー４上に支持するための支持リブ２１３，２１４，２１５が、天板部２１の幅方向に連続して形成されている。
支持リブ２１３は、前方天板部２１の奥行き方向略中央部に形成されている。支持リブ２１４は、前方天板部２１の連結部２１２寄り部分に形成されている。また、支持リブ２１５は、後方天板部２１の奥行き方向略中央部に形成されている。そして、天板部２１の幅方向中央部分には、支持リブ２１４を貫通する貫通孔２１６が、幅方向に所定間隔をあけて２個穿設されている。なお、天板部２１は、人が踏み台として使用できないように、奥行き長さが２００ｍｍ以下となっている。
【０００９】
背面部２２は、後方天板部２１１の後端部から下方に屈曲形成されている。前面部２３は、前方天板部２１０の前端部から下方に屈曲形成されている。前面部２３の先端部には、係止部２４が形成されており、係止部２４の内部には、断面略コの字形の係止溝２５が形成されている。
【００１０】
嵌合突起６は、弾性を有するエチレン−プロピレン−ジエン三元共重合体もしくは熱可塑性樹脂エラストマー製で、天板部２１の貫通孔２１６に挿通させた固定ネジ７によって、前方天板部２１０の上面に固定されている。
【００１１】
湯桶載置台３は、例えば、ＡＢＳ樹脂もしくはポリプロピレン樹脂製で、湯桶を載置するための載置部３１と、載置部３１を補強するための補強リブ３２と、カウンター本体２の天板部２１の嵌合突起６が嵌合する固着手段としての嵌合穴３３とから構成されており、射出成形により成型されている。
【００１２】
載置部３１は、図１に示すように、平面視略半円状で、直線状の後方端縁から前方端縁までの長さは、カウンター本体２の前方天板部２１の奥行き長さの約２倍となっている。載置部３１の表面の略中央部には、幅方向に所定間隔をあけて波形リブ３４，３４・・が形成されている。波形リブ３４，３４・・の間には、排水溝３５，３５・・が形成されている。なお、排水溝３５から波型リブ３４までの高さは１ｍｍ以上となっている。また、波形リブ３４は、湯桶載置台３の表面と略同じ高さで水平に形成されており、排水溝３５は、載置部３１の前方端縁に向かってわずかに下方傾斜するように形成されている。
【００１３】
補強リブ３２は、載置部３１の周縁部に形成される周縁リブ３２０と、載置部３１の裏面に形成される裏面リブ３２１とから構成されている。周縁リブ３２０は、載置部３１の周縁部に沿って下方に屈曲形成されている。裏面リブ３２１は、載置部３１の奥行き方向略後ろ半分の範囲に形成されており、載置部３１の幅方向と奥行き方向との双方に、格子状に配設されている。
【００１４】
また、嵌合穴３３は、内径が嵌合突起６の外径と略同一もしくはやや小径の円筒状で、載置部３１の後方端縁近傍に、嵌合突起６と同じ間隔で配置されている。
【００１５】
カウンターステー４は、ガラス繊維（グラスファイバー）強化ポリプロピレン樹脂製で、壁面当接面４１と、壁面当接面４１に対して直角に配置されるカウンター本体支持面４２とを備えた側面視直角三角形状で、射出成形により成型されている。
【００１６】
カウンターカバー５は、ＡＢＳ樹脂製で、断面視略逆への字状で、一端部にカウンター本体２の係止溝２５に係止される係止片５１が形成されており、押出し成形により成型されている。
【００１７】
浴室カウンター１を浴室の壁面Ｗに取り付ける手順としては、まず、カウンターステー４を壁面Ｗに取り付ける。すなわち、カウンター本体支持面４２を上側にして、壁面当接面４１を壁面Ｗに当接させ、ビスなどの固定具４３によって壁面Ｗに固定する。次に、カウンターステー４のカウンター本体支持面４２の上に、カウンター本体２を取り付ける。すなわち、カウンター本体２の支持リブ２１３，２１４，２１５を下方に向けるとともに、カウンター本体２の背面部２２を壁面Ｗに当接させ、支持リブ２１３，２１４，２１５をカウンター本体支持面４２の上に設置し、ビスなどの固定具によってカウンター本体２をカウンターステー４に固定する。そして、カウンターカバー５をカウンター本体２と壁面Ｗとの間に取り付ける。すなわち、係止片５１をカウンター本体２の係止溝２５に係止させるとともに、他端部をビスなどの固定具によってカウンターステー４に固定することにより、カウンター本体２の下方に取り付ける。最後に、湯桶載置台３の嵌合穴３３にカウンター本体２の嵌合突起６を対向配置させて強く押し込み、嵌合突起６を嵌合穴３３に弾性嵌着させることによって、カウンター本体２に湯桶載置台３を取り付ける。
【００１８】
以上詳細に説明した通り、本実施形態の浴室カウンター１によれば、湯桶載置台３の略前半分が、カウンター本体２よりも前方に突出するように配置され、湯桶載置台３の載置部３１の後方端縁近傍に配置された嵌合穴３３に、カウンター本体２の天板部２１に設けられた嵌合突起６を弾性嵌着することにより、湯桶載置台３がカウンター本体２に取り付けられている。そのため、湯桶載置台３の載置部３１に荷重がかかると、湯桶載置台３の後方端縁側には前記荷重と反対方向に力がかかり、湯桶載置台３の載置部３１に設定荷重、つまり、湯水を満たした状態での湯桶の荷重を超える荷重がかかると、図３に示すように、テコの原理により、湯桶載置台３の嵌合穴３３からカウンター本体２の嵌合突起６が外れて、湯桶載置台３がカウンター本体２から外れる。
【００１９】
したがって、湯桶載置台３に片足を載せたときの荷重（２０ｋｇ程度）がかかると、カウンター本体２から湯桶載置台３が外れるように、湯桶載置台３をカウンター本体２に弾性嵌着させる構造にすれば、水を満たした湯桶の重量（１０ｋｇ以下）では、湯桶載置台３がカウンター本体２から外れることなく安心して湯桶を湯桶載置台３に載置して使用できる。そして、湯桶載置台３に片足を載せたときには、人が重心を湯桶載置台３に移す前に、カウンター本体２から湯桶載置台３が外れる。したがって、浴室カウンター１が破損するのを防止でき、転倒などによる大けがを防止できる。
【００２０】
また、本実施形態の浴室カウンター１によれば、人が浴室カウンター１の上に設定荷重を超える荷重がかかると、湯桶載置台３がカウンター本体２から外れる構造であるので、カウンター本体２や湯桶載置台３の強度を従来よりも低い強度に設定できる。言い換えれば、カウンター本体２の基材は、湯桶の重量に耐え得る強度を備えていればよいので、カウンター本体２の材質を上記のＡＢＳ樹脂製の発泡体や、ポリプロピレン樹脂製の発泡体などの安価で軽量な材質で形成することができる。
【００２１】
また、湯桶載置台３が、カウンター本体２に対して着脱可能であるので、カウンター本体２から湯桶載置台３を取り外して掃除することができる。したがって、カウンター本体２と湯桶載置台３との隙間に付着した水垢などの汚れを容易に清掃でき、清潔である。
【００２２】
さらに、カウンター本体２は、押出し成形されているため、基材の表面に被覆材を容易に積層させることができ、軽量で美観に優れた製品を効率よく生産することができる。
【００２３】
また、載置台３は、裏面リブ３２１の形成部分の表面側に、波形リブ３４が形成されているので、裏面リブ３２１を形成する際に載置部３１の表面にヒケが発生するのを効果的に防止できる。
【００２４】
さらに、波形リブ３４が、湯桶載置台３の表面と略同じ高さで水平に形成されているので、湯桶を安定して載置させることができる。また、排水溝３５が、載置部３１の前方端縁に向かってわずかに下方傾斜しているので、排水溝３５を通じて載置部３１の前方端縁から湯水を迅速に排水できる。
【００２５】
なお、本実施形態では、カウンター本体２の天板部２１に、湯桶載置台３を着脱可能に取り付けるための嵌合突起６を固定ネジ７によって後付けしたが、このような構造に限られず、カウンター本体２の表面に嵌合突起６を一体に形成してもよい。この場合は、押出し成形することができないので、例えば射出成形等によって成型すればよい。また、湯桶載置台３をカウンター本体２に着脱可能に固着させる手段としては、上記の嵌合穴３３と嵌合突起６との構成に限られず、例えば、カウンター本体２と湯桶載置台３とのいずれか一方に磁石を埋設するとともに、残りの一方を、磁性体を含有させた材料で形成することによって、磁着させる構成としても構わない。
【００２６】
（実施例）
以下、実施例および比較例について図面を用いて説明する。
【００２７】
実施例は、図２に示す浴室カウンター１で、浴室の壁面に沿って設けられるカウンター本体２と、カウンター本体２の上面に着脱可能に取り付けられる湯桶載置台３と、カウンター本体２を支持するカウンターステー４と、カウンター本体２の下部を隠蔽するためのカウンターカバー５とから構成されている。
【００２８】
カウンター本体２は、ＡＢＳ樹脂の１．８倍発泡体からなる基材の表面にアクリル樹脂層を被覆してなるもので、幅１０００ｍｍ、奥行き長さ１９８ｍｍ、肉厚１２ｍｍである。また、嵌合突起６は、弾性を有するエチレン−プロピレン−ジエン三元共重合体からなり、外径１５ｍｍ、高さ１０ｍｍで、カウンター本体２の後方端縁から１００ｍｍの位置に、ピッチ１８０ｍｍで取り付けられている。
湯桶載置台３は、ＡＢＳ樹脂製で、幅３８０ｍｍ、奥行き長さ２２８ｍｍ、載置部３１の肉厚３．０ｍｍ、補強リブ３２の肉厚１．５ｍｍ、嵌合穴３３の内径１５ｍｍ、波形リブ３４の高さ５ｍｍとなっている。
【００２９】
比較例は、図５に示す従来の仕様の浴室カウンターＡであり、壁面Ｗに固定されるガラス繊維（グラスファイバー）強化ポリプロピレン樹脂製のカウンターステーＢと、カウンターステーＢの上部に設置されるＦＲＰ製のカウンター本体Ｃと、カウンター本体Ｃの下方を隠蔽するＡＢＳ樹脂製のカウンターカバーＤとから構成されている。カウンター本体Ｃには、湯桶台を載置するための平らな湯桶台載置部Ｓが設けられている。
【００３０】
カウンター本体Ｃは、幅１０００ｍｍ、奥行き長さ３２０ｍｍ、肉厚６ｍｍで、裏面には補強リブＥが形成されており、カウンターステーＢの上部に固定されている。
【００３１】
（仕様）
ここで、実施例と比較例の構成部材の仕様を下表に示す。
【００３２】
【表１】
2007097748.tif 000003
【００３３】
（評価手法）
実施例の浴室カウンター１と比較例の浴室カウンターＡとに対して荷重試験を行い、そのたわみ量を測定した。具体的には、実施例の湯桶載置台３の中央部と、比較例の湯桶載置部Ｓの中央部とに、それぞれ直径１５０ｍｍ、厚さ５ｍｍのゴム板を介して、１０ｋｇ、２０ｋｇ、７０ｋｇの荷重板を順に載置して、実施例の湯桶載置台３および比較例の湯桶載置部Ｓの前方端縁のたわみ量をたわみゲージによって測定した。
【００３４】
（測定結果）
測定結果を下表に示す。
【００３５】
【表２】
2007097748.tif 000004
【００３６】
（評価）
上記測定結果により、本実施例の湯桶載置台３は、湯水を満たした湯桶を載置した程度の荷重（１０ｋｇ）では外れないので、通常の使用方法では快適に使用できる。しかしながら、人が片足を載せた程度の荷重（２０ｋｇ）がかかると、湯桶載置台３だけが外れるので、人が湯桶載置台３に乗り降りするのを確実に防止でき、転倒などの大けがを回避できる。また、湯桶載置台３がカウンター本体２から外れる構造であるので、使用者が湯桶載置台３に荷重をかけないように自発的な意識が芽生えるという利点もある。
一方、比較例のカウンター本体Ｃの湯桶載置部Ｓは、人が載った場合の荷重（７０ｋｇ）がかかっても、壁面Ｗにカウンター本体Ｃを支持した状態を維持することができる。しかしながら、たわみ量が大きく、繰り返し荷重がかかることによって、カウンター本体Ｃやカウンター本体Ｃを支持するカウンターステーＢが破損し、使用者が大けがをする危険性がある。
【００３７】
（結論）
実施例の浴室カウンター１は、湯桶載置台３が、湯水を満たした湯桶を載置した程度の荷重（１０ｋｇ）ではカウンター本体２から外れず、人が片足を踏み込む程度の荷重（２０ｋｇ）では、カウンター本体２から外れるので、浴室カウンター１に過大な荷重（２０ｋｇ以上）をかけることができない構造であることが確認できた。
【図面の簡単な説明】
【００３８】
【図１】本発明の一実施形態にかかる浴室カウンター１の外観斜視図である。
【図２】実施例にかかる浴室カウンター１の断面図である。
【図３】図２に示す浴室カウンター１の湯桶載置台３に設定荷重を超える荷重がかかったときに、湯桶載置台３がカウンター本体２から外れる様子を示す説明図である。
【図４】従来の浴室カウンターＸを示す外観図である。
【図５】比較例にかかる浴室カウンターＡの断面図である。
【符号の説明】
【００３９】
１      浴室カウンター
２      カウンター本体
３      湯桶載置台
３３    嵌合穴（固着手段，嵌合凹部）
６１    嵌合突起（固着手段）
【図１】
2007097748.tif 000005
【図２】
2007097748.tif 000006
【図３】
2007097748.tif 000007
【図４】
2007097748.tif 000008
【図５】
2007097748.tif 000009